(57)【特許請求の範囲】
【請求項１】
カード挿入口の奥部に、カードの挿入を検出する挿入検知スイッチを配設したカードコネクタであって、
上記挿入検知スイッチは、挿入されたカードの先端に押されて変形する一方の接点部材と、この一方の接点部材に対して接触離間する他方の接点部材とを有し、
これら一方及び他方の接点部材は、共に片持梁状を呈し、その基端が上記カード挿入口の奥部に固定され、先端が挿入されたカードの略幅方向に延出され、
上記一方及び他方の接点部材は、それぞれの先端同士、基端同士が上記カード挿入口から見て揃えられて並設され、
上記一方の接点部材の基端が、上記他方の接点部材の基端よりもカード挿入方向の奥側に配置され、
上記一方の接点部材は、その先端が基端よりもカード挿入方向の手前側に位置するように形成され、
上記一方の接点部材は、その先端にカードにより押圧される押圧部を有し、該押圧部と基端との間に他方の接点部材の先端が当接する接点部を有すると共に、該接点部の上方を覆う庇部を有し、
上記一方の接点部材の上記接点部は、通常、上記他方の接点部材の先端に接触している  ことを特徴とするカードコネクタ。
【請求項２】
上記一方の接点部材は、その基端から上記押圧部に至るまでの部分が略ストレート状に形成され、
上記他方の接点部材は、その先端の部分がカード挿入方向の奥側に向けて屈曲して形成されている請求項１に記載のカードコネクタ。
【発明の詳細な説明】
【０００１】
【発明の属する技術分野】
この発明は、ＩＣカード、磁気カード等のカードをコンピュータ等に接続するためのカードコネクタに関する。特に、カードの挿入口への挿入を検知する挿入検知スイッチに関する。
【０００２】
【従来の技術】
従来は、特開平６−２０３２２２号公報に開示されているように、カードコネクタにおいては、カード挿入口からカードが差し込まれた際、それを検出する挿入検知スイッチが設けられる。
【０００３】
【発明が解決しようとする課題】
しかしながら、従来の挿入検知スイッチは一対の接点部材同士の接点部が露出しているのでほこりやゴミが付着し易く導通不良が生じるという問題があった。そこで、本発明は、接点部の導通不良の発生を低減できる挿入検知スイッチを備えたカードコネクタを提供することを目的とする。
【０００４】
【課題を解決するための手段】
上記目的を達成するため、本発明に係るカードコネクタは、カード挿入口の奥部に、カードの挿入を検出する挿入検知スイッチを配設したカードコネクタであって、上記挿入検知スイッチは、挿入されたカードの先端に押されて変形する一方の接点部材と、この一方の接点部材に対して接触離間する他方の接点部材とを有し、これら一方及び他方の接点部材は、共に片持梁状を呈し、その基端が上記カード挿入口の奥部に固定され、先端が挿入されたカードの略幅方向に延出され、上記一方及び他方の接点部材は、それぞれの先端同士、基端同士が上記カード挿入口から見て揃えられて並設され、上記一方の接点部材の基端が、上記他方の接点部材の基端よりもカード挿入方向の奥側に配置され、上記一方の接点部材は、その先端が基端よりもカード挿入方向の手前側に位置するように形成され、上記一方の接点部材は、その先端にカードにより押圧される押圧部を有し、該押圧部と基端との間に他方の接点部材の先端が当接する接点部を有すると共に、該接点部の上方を覆う庇部を有し、上記一方の接点部材の上記接点部は、通常、上記他方の接点部材の先端に接触しているものである。これによって、庇部が接点部を覆うためほこりやゴミの付着等による導通不良の低減を図ることができる。
【０００５】
また、上記一方の接点部材は、その基端から上記押圧部に至るまでの部分が略ストレート状に形成され、上記他方の接点部材は、その先端の部分がカード挿入方向の奥側に向けて屈曲して形成されていてもよい。
【０００６】
【発明の実施の形態】
以下本発明の実施の形態を図示例と共に説明する。ここでは、ＩＣカードコネクタを例にとって一実施の形態を説明する。図１乃至５は、本発明の一実施の形態としてのＩＣカードコネクタを示している。図１はＩＣカードコネクタを上部ハウジング側から見た斜視図、図２は図１のＩＣカードコネクタを下部ハウジング側から見た斜視図である。図３は図１のＩＣカードコネクタの組み立てられた上部ハウジングを上面側から見た斜視図である。図４は図１のＩＣカードコネクタの組み立てられた下部ハウジングを上面側から見た斜視図である。図５は図１のＩＣカードコネクタのサブ基板とジャンパーリードの関係を示す概念的な立面図である。
【０００７】
図１に示すとおり、ここでのＩＣカードコネクタ１は、大きく、下部ハウジング２と上部ハウジング１０と上部ハウジング１０に取り付けられるサブ基板１７から構成されている。
【０００８】
図１，図２と図４において、下部ハウジング２の底面板２ａに第１端子３が４本並置して取り付けてある。
【０００９】
この第１端子３は端部を下方に向けて屈曲させてあり、先端を図示していない主基板に挿入する差し込み部３ａを備えこれが主基板に端子の信号を伝達する手段となる。他方に延長した先端はカードの電極と接触する接触部３ｂを上方にへの字状に曲げて形成してある。第１端子３と反対側の側部には第１端子３と同様な形状の第２端子４が４本並置して取り付けてある。
【００１０】
下部ハウジング２の中央部には薄板状の支持板部５が掛け渡されており、支持板部５の中央部は開口５ａが設けてあり、そこに外周をゴム等の弾性体で被覆した弾性ローラ６が軸６ａの両端を軸受け６ｂで支持して設けられている。第１、第２の端子の接触部と弾性ローラ６の間の間隙は厚みの異なる２種のカードを受け入れ可能な寸法に設定してある。そして弾性ローラ６は支持板部５に支持されているので上下に動きうる状態であるので第１ＩＣカード挿入口７からＩＣカードが挿入されると弾性ローラ６が若干上に押し上げられＩＣカードを端子３，４に適度に押しつけた状態で安定する。軸６ａも弾性体で被覆されるので、第１、第２の端子の接触部と弾性ローラ６の間の間隙が厚みの異なる２種のカードを受け入れ可能にすることは容易である。
【００１１】
そしてＩＣカードの先端が到達する位置には１対の接点部材８ａ、８ｂから成る挿入検知スイッチとしての端部位置スイッチ８が設けてある。この端部位置スイッチ８の接点部材８ａの先端にはＩＣカードの先端が当接する押圧部８ｃと他方の接点部材８ｂの先端が接触する接点部を覆う庇部８ｄが設けられている。この端部位置スイッチ８は通常閉じた状態で接点部は庇部８ｄで覆われているので、ほこり等が接点部に進入するのを防止することができる。
【００１２】
図３はＩＣカードコネクタの上部ハウジング側の組立てられた状態の斜視図であり、上部ハウジング１０の天板１０ａには第３の端子１１が４本並置されており、この第３の端子１１は上部ハウジングに設けた端子の信号をサブ基板に伝達する手段である先端をサブ基板に挿入する差し込み部１１ａを備える。他方に延長した先端はカードの電極と接触する接触部１１ｂがへの字状に曲げて形成してある。第３端子１１と反対側の側部には第３端子と同様な形状の第４端子１２が４本並置して取り付けてある。即ち先端をサブ基板に挿入する差し込み部１２ａを備え、他方に延長した先端はカードの電極と接触する接触部１２ｂがへの字状に曲げて形成してある。
【００１３】
これらの第３、第４の端子は第２ＩＣカード挿入口１３からＩＣカードが挿入された際、電極が上向きになっている場合に接触部１１ｂ、１２ｂに接触して動作するようになされている。
【００１４】
第５の端子１４、第６の端子１５（図３では見えていないが、説明のため引出し線で位置を示している。図５参照）はＩＣカードの電極が下向きに差し込まれた際にその接触部１４ｂ、１５ｂに接触して動作するごとくに配設されている。図５に示すように、上部ハウジング１０に設けた溝（図示せず）に第５端子１４の４本と第６端子１５の４本を上下に重ねた形で収納し、差し込み部１４ａ、１５ａをサブ基板１７に差し込み、他端を上方にくの字状に曲げて接触部１４ｂ、１５ｂとしたものである。また上部ハウジング１０にも端部スイッチが備えられており、その端子１９を上向きに突出させてある。
【００１５】
上述のように構成された上部ハウジング１０と下部ハウジング２は重ねて以下の構成により組み立てる。下部ハウジング２の角部にそれぞれ支柱９を設け、支柱９の端部に結合フック９ａを設ける。上部ハウジング１０の各角部に設けた嵌合孔１８にこれらフック９ａを差し込むことにより上部と下部ハウジングが一体化されて組み立てが完了する。
【００１６】
図２は上部と下部のハウジングが一体に組み立てられた状態を下方からみた斜視図である。サブ基板１７は両面に導体パターン１７ａを備えたプリント配線基板であり、第３から第６端子の差し込み部１１ａ，１２ａ，１４ａ，１５ａと端部位置スイッチの端子１９が差し込まれる孔が備えられており、この孔は両面の導体を接続するスルーホールで構成されている。
【００１７】
またサブ基板１７には各端子から得た信号を下方の主基板側に引き下ろすためのジャンパーリード２０（サブ基板からの信号を前記主基板に伝達する手段）がスルーホールランド２０ａに接続されている。この結果上部ハウジング１０で得られた信号はサブ基板１７を経てジャンパーリード２０に導かれ、下部ハウジング２の底面に導かれる。なお、ジャンパーリード２０を整列する調整部材２５がここでは下面側に設けられている。この下部ハウジングの底面には既に下部ハウジング２から導かれた第１端子の差し込み部３ａと第２端子の差し込み部４ａが存在しているので全ての信号は下部ハウジング２の底面に集約できている。そのため図示しない主基板に容易に取り付けることができる。なお、上部ハウジング１０と下部ハウジング２には、基板などの他部材に取り付けるための取付けポスト２１，２２がそれぞれ４本ずつ設けられている。
【００１８】
【発明の効果】
以上説明したように、本発明に係るカードコネクタによれば、庇部が接点部を覆うためほこりやゴミの付着等による導通不良を低減できる。
【図面の簡単な説明】
【図１】  本発明による一実施の形態としてのＩＣカードコネクタを上部ハウジング側から見た斜視図である。
【図２】  図１のＩＣカードコネクタを下部ハウジング側から見た斜視図である。
【図３】  図１のＩＣカードコネクタの上部ハウジングを上面側から見た斜視図である。
【図４】  図１のＩＣカードコネクタの下部ハウジングを上面側から見た斜視図である。
【図５】  図１のＩＣカードコネクタのサブ基板とジャンパーリードの関係を示す概念的な立面図である。
【符号の説明】
１  ＩＣカードコネクタ、２  下部ハウジング、２ａ  底面板、３  第１端子、３ａ  差し込み部、３ｂ  接触部、４  第２端子、５  支持板部、５ａ  開口、６  弾性ローラ、６ａ  軸、６ｂ  軸受け、７  第１ＩＣカード挿入口、８  端部位置スイッチ（挿入検知スイッチ）、８ａ，８ｂ  接点部材、８ｃ  押圧部、８ｄ  庇部、９  支柱、９ａ  結合フック、１０  上部ハウジング、１０ａ  天板、１１  第３の端子、１１ａ  差し込み部、１１ｂ  接触部、１２  第４端子、１２ａ  差し込み部、１２ｂ  接触部、１３  第２ＩＣカード挿入口、１４第５の端子、１４ａ  差し込み部、１４ｂ  接触部、１５  第６の端子、１５ａ  差し込み部、１５ｂ  接触部、１７  サブ基板、１７ａ  導体パターン、１８  嵌合孔、１９  端子、２０  ジャンパーリード、２０ａ  スルーホールランド、２１，２２  取付けポスト、２５  調整部材。
【図１】
0004035571.tif 000002
【図２】
0004035571.tif 000003
【図３】
0004035571.tif 000004
【図４】
0004035571.tif 000005
【図５】
0004035571.tif 000006